(57)【要約】      （修正有）【課題】組立が容易であって、震度の大きい地震が発生した場合であっても、倒壊した建造物により損壊することがなく、内部に避難可能な剛性構造の耐震組立机を提供する。【解決手段】耐震組立机１は脚部取付具２と、脚部５と、脚部固定用ボルト４と天板３とからなる。脚部５を脚部取付具２が備える係止部２５に挿入する。この係止部２５の外壁面に上記脚部固定用ボルト４を螺合するためのナット２６が溶接により配設されている。このナット２６に螺合された脚部固定用ボルト４が係止部壁面に設けられた貫通孔と脚部５設けられた貫通孔５ｈを介して貫通し、脚部の壁面を係止部の壁面に押圧・密着して緊結される。地震発生の際はこの耐震組立机の内部に避難することができる。【選択図】図２
0003151313.tif 000002
【実用新案登録請求の範囲】
【請求項１】
脚部取付具と、脚部と、脚部固定用ボルトと、天板とで構成される耐震組立机であって、
該脚部取付具は断面正方形の金属角パイプにより平面視矩形状に形成され、該脚部取付具の４角に上記脚部を挿入して固定するための断面形状が該脚部と同一の金属角パイプからなる係止部を備え、上記係止部は外壁面に上記脚部固定用ボルトを螺合するためのナットが溶接により配設され、該ナットに螺合された上記脚部固定用ボルトが上記壁面を貫通する貫通孔が設けられ、
該脚部は断面正方形の金属性角パイプよりなり、該脚部は上記係止部に挿入可能であり、該脚部の壁面には上記固定用ボルトが貫通する貫通孔が設けられていることを特徴とする耐震組立机。
【請求項２】
上記脚部取付具に補強用桟を備えた請求項１記載の耐震組立机。
【請求項３】
上記脚部取付具の４角に直角二等辺三角形状の鋼板製の補強部材を備えた請求項１又は請求項２に記載の耐震組立机。
【請求項４】
上記脚部の下端部に床面保護具を備えた請求項１乃至請求項３のいずれかに記載の耐震組立机。
【考案の詳細な説明】
【技術分野】
【０００１】
本考案は、耐震組立机に関する。詳しくは組立が容易である耐震組立机であって、地震による倒壊家屋で損壊することがなく、且つ地震発生時に内部に避難可能である耐震組立机に関する。
【背景技術】
【０００２】
幼児、児童、高齢者等の身体的弱者は、家屋が倒壊するほどの大きな地震から自らの身を守るすべがない。建物の倒壊、二階屋の一階部分の崩壊は地震発生から１０秒以内に起こると報告されている。同様に家具の転倒、照明器具あるいは天井部の落下も地震発生から１０秒以内におこっている。このため特に幼児、児童、高齢者等は屋外に避難するための時間的余裕はない。この地震による家屋倒壊等から人命を守るのは家屋の耐震性を強化すること又は家屋内にシェルターを設けること以外の方法は考えられない。
【０００３】
家屋の耐震性を強化する工事は多大の費用が必要であって、一定以上の経済力を有する者以外にとっては容易ではない。このことを考慮すると安価で堅固なシェルターを備えることが現実的である。上記観点から、地震が発生した場合には、大きい外力が加わっても損傷、破壊をしないシェルターの機能を有する剛性構造の家具の内部又は下に避難することが、地震の被害から人命を守る最も有効な手段であると考えられる。従来技術には地震の被害から人命を守るためのシェルター機能を有する耐震性に優れたベッドが開示されている（下記特許文献１参照）。
【０００４】
また、シェルター機能を有する耐震構造の机は下記特許文献２等に開示されている。これらの先行技術は優れたものであるのは確かではあるが、耐震構造の机は構造が複雑であり製作が容易であるとはいえない、また、大地震による家屋倒壊に耐えうる剛性構造を有しているか否か、真のシェルターの役目を果たし人命を守ることが出来るか否かが問題となる。
【０００５】
また、耐震構造を有する机は、そのシェルター機能を十分に発揮させるための設計を行うと、重量が増して設置場所への搬入、移動等のとりあつかいが困難になる傾向がある。このため、組立式のものが要望される。更に机は幼児、児童と成長するとともに必要な高さが異なってくる。このため、脚部を交換するのみで幼児から成人、高齢者まで永続的に使用することができる耐震机が要望されている。尚、本願考案における「耐震」とは、上述のように地震により倒壊した家屋により損壊することがない剛性構造を意味する。
【特許文献１】実用新案登録第３１４５６４９号
【特許文献２】特開２００１−２２４４４１
【考案の開示】
【考案が解決しようとする課題】
【０００６】
本願考案は、組立が容易であり、成長した体格に適合した長さの脚部に交換するのみで永続的に使用可能な耐震組立机であって、震度の大きい地震であっても、倒壊した建造物により損壊することがなく、内部に避難可能な剛性構造の耐震組立机を提供する。
【課題を解決するための手段】
【０００７】
本考案の耐震組立机は、脚部取付具と、脚部と、脚部固定用ボルト、天板とで構成され、極めてシンプルな構造であり、容易に組立可能である。また、使用する者が成長して体格が変化しても脚部を交換するのみで半永久的に使用できる。天板も使用者の好みに合わせて容易に交換できる。この耐震組立机は極めて強度が大きく家屋の倒壊による荷重によっても損壊することはない。地震がおきた場合には、この耐震組立机の内部（下部）に避難することができる。本願の課題を解決する手段は下記のとおりである。
【０００８】
１．脚部取付具と、脚部と、脚部固定用ボルトと、天板とで構成される耐震組立机であって、該脚部取付具は断面正方形の金属角パイプにより平面視矩形状に形成され、該脚部取付具の４角に上記脚部を挿入して固定するための横断面形状が該脚部と同一の金属角パイプからなる係止部を備え、上記係止部は外壁面に上記脚部固定用ボルトを螺合するためのナットが溶接により配設され、該ナットに螺合された上記脚部固定用ボルトが上記壁面を貫通する貫通孔が設けられ、
該脚部は断面正方形の金属性角パイプよりなり、該脚部は上記係止部に挿入可能であり、該脚部の壁面には上記固定用ボルトが貫通する貫通孔が設けられていることを特徴とする耐震組立机。
２．上記脚部取付具に補強用桟を備えた耐震組立机。
３．上記脚部取付具の４角に直角二等辺三角形状の鋼板製の補強部材を備えた耐震組立机。
４．上記脚部の下端部に床面保護具を備えた耐震組立机。
【考案の効果】
【０００９】
本願耐震組立机は、脚部取付具と、脚部と、脚部固定用ボルト、天板で構成される極めて単純な構造であるため、これらの構成部材を分解及び組立をすることが自在である。これを組み立てた耐震組立机は住宅倒壊による縦及び水平荷重による外部応力により、金属角パイプが座屈又は破断することはなく、強震度の地震に耐えうる十分な剛性構造を有する。この机は容積は大きいが分解すれば、容積は極めて小さい。また、上述のように強震度の地震に耐えうる剛性構造を有するため重量はあるが、個々の構成部材は軽い。このため分解すれば、持ち運び、搬送のとりあつかいは容易である。
【００１０】
本願耐震机の使用者が成長するに及んで机の高さが必要になった場合は、脚部の長いものに交換することにより対応できる。本願耐震机を構成する脚部はボルト貫通孔を備えた角パイプであるため、ホームセンターでも入手可能である。また、本願耐震机の使用者から譲り受けて耐震机の高さが高すぎる場合は脚を切断して使用することができる。天板も趣味の変化に応じて、大きさ、色彩、材質等を自由に交換できる。これらの天板はホームセンター等で入手可能である。
【００１１】
また、脚部取付具に補強用桟を設けた場合は、剛性を強化することができる。更にこの脚部取付具の４角に鋼製の補強プレートを設けた場合は一層剛性が強化される。また、脚部の下端部に床面保護具を設けた場合は、床面の損傷を防止できるとともに、地震時の横揺れに対して机の横すべりを防止できる。
【考案を実施するための最良の形態】
【００１２】
以下、本願考案を実施するための最良の形態について、図を用いて詳細に説明する。本願考案はこれらの図に限定されるものではない。図１は本願耐震机の斜視図、図２は分解組立図である。これらの図からわかるように本願耐震机１はシンプルな構造であって組立て・分解が容易であることがわかる。本願考案の耐震組立机１は、脚部取付具２と、脚部５と、脚部固定用ボルト４と、天板３とで構成される。
【００１３】
この脚部取付具２は図３の脚部取付具の平面図及び図４の脚部取付具の正面図に示すように、断面正方形の金属角パイプの長尺材２１と短尺材２２により平面視矩形状に形成され、この脚部取付具の４角に脚部５を挿入して固定するための横断面形状が脚部５と同一の金属角パイプからなる係止部２５を備える。この金属性の角パイプは鉄、ステンレス等が使用される。通常は鉄を用いる。本考案に係る耐震組立机１は室内で使用するものであり、腐食の心配はない。このため、安価であり、作業性に優る鉄を通常は使用する。また、外面は塗装をすることがこの好ましい。
【００１４】
これらの横断面が正方形の金属角パイプの長尺材２１及び短尺材２２の１辺の寸法は特に限定はないが、１辺の寸法は同一である。これらの１辺の寸法は後述する係止部の１辺の寸法と同一とすることが好ましい。これらの１辺の寸法が同一であるとこれら三者を溶接する場合に溶接部分が最も大きくなり溶接強度が最大になるためである。この１辺の寸法は、本願耐震組立机の剛性を担保するために５３ｍｍ〜５７ｍｍが好ましく、特に好ましくは５４ｍｍ〜５６ｍｍである。また、これらの肉厚は１．６ｍｍ〜４．５ｍｍである。１．６ｍｍ未満であると強度不足なり、４．５ｍｍを超えると取り扱いが困難であり、品質過剰となるためである。
【００１５】
この長尺材の長さ寸法は特に限定はないが、好ましくは６５０ｍｍ〜１６００ｍｍである。６５０ｍｍ以下では机の機能が発揮しにくい。また、１６００ｍｍを超えると日本の一般家屋が倒壊した場合に生じる垂直応力に耐えることが出来ない可能性があるためである。これに対して短尺材２２の長さ寸法は長尺材の長さ寸法より小さければ特に問題はない。
【００１６】
断面正方形の金属角パイプからなる係止部２５は、ここに挿入された脚部５を固定する。従って、この係止部２５の１辺の寸法は断面正方形の金属角パイプからなる脚部５の１辺の寸法より大きい。この１辺の寸法は上述したように、長尺材２１及び短尺材２２の１辺の寸法と同じであって、好ましくは５３ｍｍ〜５７ｍｍが好ましく、特に好ましくは５４ｍｍ〜５６ｍｍである。この係止部２５に使用される金属角パイプは肉厚を好ましくは４．２ｍｍ〜４．６ｍｍとする。４．２ｍｍ未満であると脚部を固定しても十分な剛性構造が得られない。また、必要な剛性構造が得るためには４．６ｍｍを超える必要がない。
【００１７】
この係止部２５の長さ方向の寸法は、特に限定はないが、８０ｍｍ〜１５０ｍｍが好ましい。８０ｍｍ未満であると脚部５を確実に固定することが困難である。また、１５０ｍｍを超えると本願耐震組立机の重量が大きくなって取り扱いが困難になるうえ、これ以上に大きくするメリットはない。この係止部２５は外壁面にナット２６が溶接により配設され、このナットに螺合される脚部固定用ボルト４がこの外壁面を貫通する貫通孔２５ｈ（図７参照）が設けられる。この貫通孔の直径は脚部固定用ボルト１４の直径より好ましくは０．８ｍｍ〜１．２ｍｍ大きくする。
【００１８】
この脚部取付具２の４角に直角二等辺三角形状の鋼板製の補強部材２４を備えることが好ましい。この補強部材２４は本願耐震組立机の剛性を大きくする。この補強部材の底辺の寸法は、１００ｍｍ〜２００ｍｍが好ましい。１００ｍｍ未満であると十分な補強とならない。また、２００ｍｍを超えて大きくする場合は品質過剰となる。この補強部材の厚さは好ましくは３ｍｍ〜５ｍｍである。３ｍｍ未満であると溶接部が弱く十分な補強とならない。また、５ｍｍを超える必要はない。補強効果は５ｍｍで十分だからである。この補強部材２４には天板固定用のビス穴２４ｈを設けて長尺材２１及び短尺材２２に溶接する。
【００１９】
この脚部取付具２の長尺材２１と短尺材２２との間に補強用桟２３を設けることが好ましい。補強用桟２３は本願耐震組立机１の剛性を高めるとともに、地震時の落下物に対する天板の補強も兼ねる。この補強用桟２３も金属製角パイプを用いる。この寸法及び肉厚は短尺材２２と同一のものを使用することもできる。また、肉厚は短尺材２２と同一として、断面形状が長方形の角パイプを使用することもできる。例えば、１辺の長さ寸法がそれぞれ４５ｍｍ〜３０ｍｍ×１５ｍｍ〜２０ｍｍのものを使用できる。この補強用桟２３には天板をとめるためのビス穴２３ｈを設ける。この補強用桟２３の数の制限はないが、図２、３は補強用桟２３を一本設けた態様の耐震組立机１であり、図１０は補強用桟２３ａ、２３ｂを２本設けた場合の態様の脚部取付具２の平面図である。
【００２０】
図５は脚部取付具２の係止部２５に脚部５を挿入して脚部固定ボルト４で脚部５を固定した正面図である。この脚部５は断面が正方形の金属パイプを使用する。この脚部５は上述の脚部取付具２の係止部２５に挿入されるため、１辺の寸法は上記係止部２５の１辺の寸法より小さい必要がある。脚部５の１辺の寸法は上記係止部２５の１辺の寸法より好ましくは４ｍｍ〜６ｍｍ小さくする。４ｍｍ未満であると脚部５を係止部２５に挿入困難な場合が生じ、また、６ｍｍを超えると係止部２５と脚部の隙間が大きすぎてボルトでの固定が困難になる場合が生じることがある。例えば、係止部２５の一辺の寸法が５５ｍｍであって、肉厚が４．５ｍｍである場合には、脚部５の一辺の寸法が４０ｍｍであって、肉厚が３．２ｍｍを使用することができる。
【００２１】
図６は脚部取付具２に脚部５を挿入して脚部固定用ボルト４で脚部を固定した平面図である。脚部固定用ボルト４は係止部２５に螺号され、係止部２５の貫通孔２５ｈと脚部５の貫通孔５ｈを貫通して脚部５の壁を係止部２５の壁を押圧・密着して緊結される。脚部固定用ボルト４は溶接部ｙを設けて係止部２５に溶接されている。
【００２２】
この脚部５には脚部固定用ボルト４が貫通する貫通孔５ｈが設けられている。図７は図６に係るＡ−Ａ切断一部端面図である。前述の係止部２５の上端部の位置と脚部５の上端部の位置を一致させたとき、係止部２５に設けられた貫通孔２５ｈの中心とこの貫通孔５ｈの中心が一致させるか、又は図７に示すように脚部５の貫通孔５ｈの中心を０．３ｍｍ〜０．６ｍｍ上方に設けることができる。この貫通孔の直径は脚部固定用ボルト１４の直径より好ましくは１．０ｍｍ〜１．４ｍｍ大きくする。
【００２３】
この脚部５の長さ寸法は特に限定されないが好ましくは５５０ｍｍ〜７５０ｍｍである。本願耐震机１の使用者が幼児、児童である場合は短く、成人である場合は長くする。この脚部５使用者の成長とともに長いものと交換することができるので、最初の使用者が児童であっても永年にわたって使用することができる。長い脚の入手は、鋼材販売店、あるいはホームセンターなどでも容易にできる。また、脚部５の長さを短くする必要がある場合は、脚部５を交換するか又必要な長さだけ切断して使用することができる。図８は本願耐震組立机の正面図である。図９は同じく右側面図である。
【００２４】
天板３の材質、サイズ等は特に限定はない。この天板３は上述の補強用桟２３の天板止め用ビス孔２３ｈ及び補強板２４の天板止め用ビス孔２４ｈで固定される。この天板３は使用者の趣味が変化した場合であっても容易に交換することができる。この天板３の入手はホームセンターでもできる。
【００２５】
脚部３には、床面保護具６を設けることが好ましい。床面保護具６は市販のものをそのまま使用できる。この材質は特に限定はないがゴムであることが好ましい。この床面保護具６は床の表面、畳の表面を損傷から保護することができる。また、地震時の横揺れによる耐震机１の横すべりを防止することができる。更に、床面に凹凸があってこの耐震机１の設置が安定しない場合であっても、床面保護具６を設けた場合には、床面保護具６の底の弾力により安定して設置できる。これを考慮すると、床面保護具６の材質はゴムであって、底部は３ｍｍ以上あることが好ましい。
【００２６】
図１０は長尺材２の長さ寸法が大きい態様の脚部取付具２の平面図である。この固定具２には補強用桟２３ａ及び２３ｂの２本が取り付けてある。この脚部取付具２に脚部３を取り付けた状態の他の態様の本願耐震組立机の正面図である。この他の態様の本願耐震組立机には複数の者が地震発生時に内部（下部）に避難できる。この他の態様の本願耐震組立机は学校の理科実験机、給食用机等に利用される。
【実施例１】
【００２７】
１．耐震組立机の製作
（１）脚部取付具の製作
脚部取付具は下記の寸法の鉄製の角パイプを下記の数を使用して、アーク溶接で連結して製作した。下記の数字の全ては単位がｍｍであり、以下同じである。
Ａ  長尺材      ；５５×５５×６５０、肉厚；１．６
数          ；２本
Ｂ  短尺材      ；５５×５５×４７０、肉厚；１．６
数          ；２本
Ｃ  補強用桟    ；３２×１４×４７０、肉厚；１．６
数          ；１本
この桟には天板取り付け用のビス孔を３個設けた。
Ｄ  係止部      ；５５×５５×１００、肉厚；４．５ 
数          ；４本
この係止部を構成する４本のパイプの各々には中央部に１６ｍｍの貫通孔を１個設け、この貫通孔の真上に１５．５ｍｍのボルトが螺合するナットを溶接で取付けた。
Ｅ  補強板
補強板として鋼製の底辺が１５０ｍｍの二等辺直角三角形であって厚さ４．２ｍｍのものを使用して天板止めようのビス穴を各３個設けた。
（２）脚部の製作
脚部パイプ    ；４０×４０×６００、    肉厚；３．２  
数            ；４本
この脚部角パイプの各々には上端から４５ｍｍの箇所にボルト装着用の口径１７ｍｍの貫通孔を設けた。
（３）天板の作成
天板用集成材  ；８４０×６００、      厚さ；２５ｍｍ
数            ；１
（４）床面保護具
天然ゴム素材の下記の寸法のものを使用した。
内側の寸法；４０×４０×４０、        底部厚さ；３ｍｍ
（５）組み立て
脚部取付具の脚装着部のボルト貫通孔に上記脚用角パイプのボルト貫通孔を一致させて脚用角パイプを挿入して直径１５．５ｍｍ、長さ６５ｍｍのボルトを使用して組み立てた。ついで天板をビスで固定した後に床面保護具を取り付けた。図１に示す耐震組立机を完成した。完成図は図８及び図９に示す。
【実施例２】
【００２８】
使用する材料を下記のものを用いた以外実施例１と同様にして耐震組立机を作成した。
完成図は図１１に示す。
（１）脚部取付具を構成する長尺材角パイプとして５５×５５×１２１０、肉厚；１．６
（２）桟角パイプの数２本、
（３）天板用集成材として１５００×６００、厚さ２５ｍｍ
【図面の簡単な説明】
【００２９】
【図１】本願考案の耐震組立机の斜視図である。
【図２】本願考案の耐震組立机の分解組立図である。
【図３】脚部取付具の平面図である。
【図４】脚部取付具の正面図である。
【図５】脚部取付具に脚部を装着した状態の正面図である。
【図６】脚部取付具に脚部を装着した状態の平面図である。
【図７】図６に係る係止部のＣ−Ｃ部分の一部断面図である。
【図８】本願考案の耐震組立机の正面図である。
【図９】本願考案の耐震組立机の右側面図である。
【図１０】本願考案の他の態様の耐震組立机の脚部取付具の平面図である。
【図１１】本願考案の他の態様の耐震組立机の平面図である。
【符号の説明】
【００３０】
１      耐震組立机
２      脚部取付具
２１    長尺材
２２    短尺材
２３    補強用桟
２３ｈ  天板止め用ビス孔
２４    補強板
２４ｈ  天板止め用ビス孔
２５    係止部
２６    ナット
３      天板
４      脚部固定用ボルト
５      脚部
６      床面保護具
２３ａ  補強用桟
２３ｂ  補強用桟
ｙ      溶接部
【図１】
0003151313.tif 000003
【図２】
0003151313.tif 000004
【図３】
0003151313.tif 000005
【図４】
0003151313.tif 000006
【図５】
0003151313.tif 000007
【図６】
0003151313.tif 000008
【図７】
0003151313.tif 000009
【図８】
0003151313.tif 000010
【図９】
0003151313.tif 000011
【図１０】
0003151313.tif 000012
【図１１】
0003151313.tif 000013